(57)【要約】      （修正有）【課題】ストッパー機能を高めることができる網戸用ロックを提供する。【解決手段】網戸用ロックＬは、本体の上左隅部に本体の表面から裏面に向かう第１の規制面を設け、この第１の規制面と本体とのなす角度は、略９０°であり、第１の規制面は、第１の回動部２１が第１の規制面に当接して、第１の回動部２１と本体の表面となす角度が略９０°より小さくならないように規制し、第１の回動部２１と本体の表面となす角度が略９０°から略１８０°の範囲では、第１の回動部２１の回動を許容し、第１の回動部２１が第１の規制面に当接して、第１の回動部２１と本体の表面となす角度が略１８０°を超えないように規制し、本体の上右隅部に本体の表面から裏面に向かう第２の規制面を設け、この第２の規制面と本体とのなす角度は、略９０°であり、第２の規制面は、第２の回動部２２が第２の規制面に当接して、第２の回動部２２と本体の表面となす角度が略９０°より小さくならないように規制する。【選択図】図６
0003207434.tif 000002
【実用新案登録請求の範囲】
【請求項１】
裏面に吸着部を有した平坦形状の本体と、
この本体に回動自在に取り付けられたストッパーとを備えた網戸用ロックであって、
前記網戸用ロックは、前記ストッパーが上、前記本体が下に位置するように前記吸着部を介して網戸の横枠に取り付けられるものであり、
前記ストッパーは、第１の回動部と、第２の回動部と、この第２の回動部と前記第１の回動部を接続する接続部を有し、
前記本体の上左隅部に前記第１の回動部の回動を許容する第１のスペースが、前記本体の上右隅部に前記第２の回動部の回動を許容する第２のスペースが、それぞれ設けられ、
前記本体の上左隅部に前記本体の表面から裏面に向かう第１の規制面を設け、この第１の規制面と前記本体とのなす角度は、略９０°であり、
前記第１の規制面は、前記第１の回動部が前記第１の規制面に当接して、前記第１の回動部と前記本体の表面となす角度が略９０°より小さくならないように規制し、前記第１の回動部と前記本体の表面となす角度が略９０°から略１８０°の範囲では、前記第１の回動部の回動を許容し、前記第１の回動部が前記第１の規制面に当接して、前記第１の回動部と前記本体の表面となす角度が略１８０°を超えないように規制し、
前記本体の上右隅部に前記本体の表面から裏面に向かう第２の規制面を設け、この第２の規制面と前記本体とのなす角度は、略９０°であり、
前記第２の規制面は、前記第２の回動部が前記第２の規制面に当接して、前記第２の回動部と前記本体の表面となす角度が略９０°より小さくならないように規制し、前記第２の回動部と前記本体の表面となす角度が略９０°から略１８０°の範囲では、前記第２の回動部の回動を許容し、前記第２の回動部が前記第２の規制面に当接して、前記第２の回動部と前記本体の表面となす角度が略１８０°を超えないように規制する
ことを特徴とする網戸用ロック。  
【請求項２】
本体の裏面側であって、前記本体の幅方向の全体に亘って設けられた水平方向に延びる水平リブを備え、
前記水平リブの左隅部が第１の規制面を形成し、前記水平リブの右隅部が第２の規制面を形成している
ことを特徴とする請求項１記載の網戸用ロック。  
【請求項３】
裏面に吸着部を有した平坦形状の本体と、
この本体に回動自在に取り付けられたストッパーとを備えた網戸用ロックであって、    前記網戸用ロックは、前記ストッパーが下、前記本体が上に位置するように前記吸着部を介して前記網戸の横枠に取り付けられるものであり、
前記ストッパーは、第１の回動部と、第２の回動部と、この第２の回動部と前記第１の回動部を接続する接続部を有し、
前記本体の下左隅部に前記第２の回動部の回動を許容する第２のスペースが、前記本体の下右隅部に前記第１の回動部の回動を許容する第１のスペースが、それぞれ設けられ、
前記本体の下左隅部に前記本体の表面から裏面に向かう第２の規制面を設け、この第２の規制面と前記本体とのなす角度は、略９０°であり、
前記第２の規制面は、前記第２の回動部が前記第２の規制面に当接して、前記第２の回動部と前記本体の表面となす角度が略９０°より小さくならないように規制し、前記第２の回動部と前記本体の表面となす角度が略９０°から略１８０°の範囲では、前記第２の回動部の回動を許容し、前記第２の回動部が第２の規制面に当接して、前記第２の回動部と前記本体の表面となす角度が略１８０°を超えないように規制し、
前記本体の下右隅部に前記本体の表面から裏面に向かう第１の規制面を設け、この第１の規制面と前記本体とのなす角度は、略９０°であり、
前記第１の規制面は、前記第１の回動部が前記第１の規制面に当接して、前記第１の回動部と前記本体の表面となす角度が略９０°より小さくならないように規制し、前記第１の回動部と前記本体の表面となす角度が略９０°から略１８０°の範囲では、前記第１の回動部の回動を許容し、前記第１の回動部が前記第１の規制面に当接して、前記第１の回動部と前記本体の表面となす角度が略１８０°を超えないように規制する
ことを特徴とする網戸用ロック。  
【請求項４】
本体の裏面側であって、前記本体の幅方向の全体に亘って設けられた水平方向に延びる水平リブを備え、
前記水平リブの左隅部が第２の規制面を形成し、
前記水平リブの右隅部が第１の規制面を形成している
ことを特徴とする請求項３記載の網戸用ロック。  
【考案の詳細な説明】
【技術分野】
【０００１】
本考案は、網戸用ロックに係り、特に、ストッパー機能を高めることができる網戸用ロックに関する。
【背景技術】
【０００２】
従来、図１０及び図１１に示すように、網戸４１を開状態で使用するために、網戸４１より内側に位置する戸４２の移動を阻止するものとして、網戸用ロック４３が使用されている。図１０は網戸用ロック４３による施錠状態、図１１は網戸用ロック４３の解錠状態をそれぞれ示している。
【考案の概要】
【考案が解決しようとする課題】
【０００３】
上記網戸用ロック４３は、網戸４１の上枠、中枠、下枠どこでも使用可能である。ところが、中枠で使用した場合、網戸用ロック４３の施錠状態にあって、子供等が網戸用ロック４３を取り付けた網戸４１を外側に押して、図１０において、戸４２を左方向へ移動させると、戸４２がストッパー部４４を乗り越えてしまい、戸４２の移動を阻止できず、ストッパー機能が弱いという問題点があった。
【０００４】
本考案は、上記の点を考慮してなされたもので、ストッパー機能を高めることができる網戸用ロックを提供することを目的とする。
【課題を解決するための手段】
【０００５】
請求項１記載の網戸用ロックは、裏面に吸着部を有した平坦形状の本体と、この本体に回動自在に取り付けられたストッパーとを備えた網戸用ロックであって、前記網戸用ロックは、前記ストッパーが上、前記本体が下に位置するように前記吸着部を介して網戸の横枠に取り付けられるものであり、前記ストッパーは、第１の回動部と、第２の回動部と、この第２の回動部と前記第１の回動部を接続する接続部を有し、前記本体の上左隅部に前記第１の回動部の回動を許容する第１のスペースが、前記本体の上右隅部に前記第２の回動部の回動を許容する第２のスペースが、それぞれ設けられ、前記本体の上左隅部に前記本体の表面から裏面に向かう第１の規制面を設け、この第１の規制面と前記本体とのなす角度は、略９０°であり、前記第１の規制面は、前記第１の回動部が前記第１の規制面に当接して、前記第１の回動部と前記本体の表面となす角度が略９０°より小さくならないように規制し、前記第１の回動部と前記本体の表面となす角度が略９０°から略１８０°の範囲では、前記第１の回動部の回動を許容し、前記第１の回動部が前記第１の規制面に当接して、前記第１の回動部と前記本体の表面となす角度が略１８０°を超えないように規制し、前記本体の上右隅部に前記本体の表面から裏面に向かう第２の規制面を設け、この第２の規制面と前記本体とのなす角度は、略９０°であり、前記第２の規制面は、前記第２の回動部が前記第２の規制面に当接して、前記第２の回動部と前記本体の表面となす角度が略９０°より小さくならないように規制し、前記第２の回動部と前記本体の表面となす角度が略９０°から略１８０°の範囲では、前記第２の回動部の回動を許容し、前記第２の回動部が前記第２の規制面に当接して、前記第２の回動部と前記本体の表面となす角度が略１８０°を超えないように規制するものである。
【０００６】
また、請求項２記載の網戸用ロックは、請求項１記載の網戸用ロックにおいて、本体の裏面側であって、前記本体の幅方向の全体に亘って設けられた水平方向に延びる水平リブを備え、前記水平リブの左隅部が第１の規制面を形成し、前記水平リブの右隅部が第２の規制面を形成しているものである。
【０００７】
また、請求項３記載の網戸用ロックは、裏面に吸着部を有した平坦形状の本体と、この本体に回動自在に取り付けられたストッパーとを備えた網戸用ロックであって、前記網戸用ロックは、前記ストッパーが下、前記本体が上に位置するように前記吸着部を介して前記網戸の横枠に取り付けられるものであり、前記ストッパーは、第１の回動部と、第２の回動部と、この第２の回動部と前記第１の回動部を接続する接続部を有し、前記本体の下左隅部に前記第２の回動部の回動を許容する第２のスペースが、前記本体の下右隅部に前記第１の回動部の回動を許容する第１のスペースが、それぞれ設けられ、前記本体の下左隅部に前記本体の表面から裏面に向かう第２の規制面を設け、この第２の規制面と前記本体とのなす角度は、略９０°であり、前記第２の規制面は、前記第２の回動部が前記第２の規制面に当接して、前記第２の回動部と前記本体の表面となす角度が略９０°より小さくならないように規制し、前記第２の回動部と前記本体の表面となす角度が略９０°から略１８０°の範囲では、前記第２の回動部の回動を許容し、前記第２の回動部が第２の規制面に当接して、前記第２の回動部と前記本体の表面となす角度が略１８０°を超えないように規制し、前記本体の下右隅部に前記本体の表面から裏面に向かう第１の規制面を設け、この第１の規制面と前記本体とのなす角度は、略９０°であり、前記第１の規制面は、前記第１の回動部が前記第１の規制面に当接して、前記第１の回動部と前記本体の表面となす角度が略９０°より小さくならないように規制し、前記第１の回動部と前記本体の表面となす角度が略９０°から略１８０°の範囲では、前記第１の回動部の回動を許容し、前記第１の回動部が前記第１の規制面に当接して、前記第１の回動部と前記本体の表面となす角度が略１８０°を超えないように規制するものである。
【０００８】
また、請求項４記載の網戸用ロックは、請求項３記載の網戸用ロックにおいて、本体の裏面側であって、前記本体の幅方向の全体に亘って設けられた水平方向に延びる水平リブを備え、前記水平リブの左隅部が第２の規制面を形成し、前記水平リブの右隅部が第１の規制面を形成しているものである。
【考案の効果】
【０００９】
請求項１記載の網戸用ロックによれば、内側に位置する網戸の横枠、中桟に網戸用ロックを取り付け、ストッパーを内側に９０°倒した場合、網戸の内側に位置した内側の戸
を開けようとしても、第１の回動部、第２の回動部の内、内側の戸の端部に近い側の回動部が当接し、内側の戸の移動を阻止して、ストッパー機能を高めることができ、しかも、子供等が網戸用ロックを取り付けた網戸を外側に押し、内側の戸が第１の回動部、第２の回動部の内、内側の戸の端部に近い側の回動部を乗り越えても、内側の戸が第２の回動部と第１の回動部を接続する接続部に当接し、内側の戸の移動を阻止することができ、更に、子供等が網戸用ロックを取り付けた網戸を外側に押しても、内側の戸が第１の回動部、第２の回動部の内、内側の戸の端部に近い側の回動部を乗り越えないように、本体の形状の大きさを変えることなく、第１の回動部、第２の回動部の長手方向の長さを長くすることにより対応することができる。
【００１０】
また、請求項２記載の網戸用ロックによれば、上述した請求項１記載の考案の効果に加え、網戸用ロックを内側に位置する網戸の横枠、中桟に取り付ける際、水平リブが網戸の横枠、中桟の上面に当接して、位置決めでき、取付を容易且つ迅速に行うことができ、水平リブは第１の規制面、第２の規制面、本体に接続されているため、第１の規制面、第２の規制面、本体の補強効果をも高めることができる。
【００１１】
また、請求項３記載の網戸用ロックによれば、内側に位置する網戸の横枠に網戸用ロックを取り付け、ストッパーを内側に９０°倒した場合、網戸の内側に位置した内側の戸を開けようとしても、第１の回動部、第２の回動部の内、内側の戸の端部に近い側の回動部が当接し、内側の戸の移動を阻止して、ストッパー機能を高めることができ、しかも、子供等が網戸用ロックを取り付けた網戸を外側に押し、内側の戸が第１の回動部、第２の回動部の内、内側の戸の端部に近い側の回動部を乗り越えても、内側の戸が第２の回動部と第１の回動部を接続する接続部に当接し、内側の戸の移動を阻止することができ、更に、子供等が網戸用ロックを取り付けた網戸を外側に押しても、内側の戸が第１の回動部、第２の回動部の内、内側の戸の端部に近い側の回動部を乗り越えないように、本体の形状の大きさを変えることなく、第１の回動部、第２の回動部の長手方向の長さを長くすることにより対応することができ、特に、子供等が触れないように、網戸用ロックを網戸の上横枠に使用した際、本体が上、ストッパが下に位置するため、背の低い大人にとっても操作が容易である。
【００１２】
また、請求項４記載の網戸用ロックによれば、上述した請求項３記載の考案の効果に加え、網戸用ロックを内側に位置する網戸の横枠、中桟に取り付ける際、水平リブが網戸の横枠、中桟の下面に当接して、位置決めでき、取付を容易且つ迅速に行うことができ、水平リブは第１の規制面、第２の規制面、本体に接続されているため、第１の規制面、第２の規制面、本体の補強効果をも高めることができる。
【図面の簡単な説明】
【００１３】
【図１】図１は、本考案の一実施例の網戸用ロックの概略的正面図である。
【図２】図２は、図１の概略的背面図である。
【図３】図３は、図１のＡ−Ａ線による概略的断面図である。
【図４】図４は、図１の概略的右側面図である。
【図５】図５は、図４のＢ−Ｂ線による概略的断面図である。
【図６】図６（ａ）は、網戸に図１の網戸用ロックを取り付け、ストッパーを内側に９０°倒した状態の写真であり、図６（ｂ）は、図６（ａ）の一部を示した写真である。
【図７】図７は、図６（ａ）のストッパーを外側に９０°倒した状態の写真である。
【図８】図８は、図１の網戸用ロックの取付位置を本体が上、ストッパが下に位置するように吸着部を介して網戸の上横枠に取り付けられた状態を室内側から見た概略的図である。
【図９】図９は、図８を外側から見た概略的図である。
【図１０】図１０は、従来の網戸用ロックの施錠時を説明するための概略的説明図である。
【図１１】図１１は、図１０の網戸用ロックを解錠した状態を説明するための概略的説明図である。
【考案を実施するための形態】
【００１４】
本考案の一実施例の網戸用ロックを図面（図１乃至図７）を参照して説明する。
図１に示すＬは網戸用ロックで、網戸用ロックＬは、例えば、図６及び図７に示すように、外側に位置する網戸１’に取り付けられ、網戸１’より内側に位置する戸２’の移動を阻止するものである。
【００１５】
網戸用ロックＬは、裏面に吸着部１１を有した平坦形状の本体１と、この本体１に回動自在に取り付けられたストッパー２とを備えている。
網戸用ロックＬは、ストッパー２が上、本体１が下に位置するように吸着部（例えば、剥離紙を剥がした粘着テープ）１０を介して網戸１’の横枠１１’に取り付けられるものである。
【００１６】
ストッパー２は、第１の回動部２１と、第２の回動部２２と、この第２の回動部２２と第１の回動部２１を接続する接続部２３を有している。
本体１の上左隅部に第１の回動部２１の回動を許容する第１のスペースＰ１が、本体１の上右隅部に第２の回動部２２の回動を許容する第２のスペースＰ２が、それぞれ設けられている。
【００１７】
本体１の上左隅部に本体１の表面から裏面に向かう第１の規制面Ｒ１を設け、この第１の規制面Ｒ１と本体１とのなす角度は、略９０°であり、第１の規制面Ｒ１は、第１の回動部２１が第１の規制面Ｒ１に当接して、第１の回動部２１と本体１の表面となす角度が略９０°より小さくならないように規制して略９０°でロックし、戸２’の移動を阻止する（図６参照）。
また、第１の回動部２１と本体１の表面となす角度が略９０°から略１８０°の範囲（図６記載から図７記載参照）では、第１の回動部２１の回動を許容し、第１の回動部２１が第１の規制面Ｒ１に当接して、第１の回動部２１と本体１の表面となす角度が略１８０°を超えないように規制し、第１の回動部２１と本体１の表面となす角度が略１８０°（図７参照）では、戸２’の移動を許容するようになっている。
【００１８】
また、本体１の上右隅部に本体１の表面から裏面に向かう第２の規制面Ｒ２を設け、この第２の規制面Ｒ２と本体１とのなす角度は、略９０°であり、第２の規制面Ｒ２は、第２の回動部２２が第２の規制面Ｒ２に当接して、第２の回動部Ｒ２と本体１の表面となす角度が略９０°より小さくならないように規制して略９０°でロックし、戸２’の移動を阻止する（図６参照）。
また、第２の回動部２２と本体１の表面となす角度が略９０°から略１８０°の範囲では、第２の回動部２２の回動を許容し、第２の回動部２２が第２の規制面Ｒ２に当接して、第２の回動部２２と本体１の表面となす角度が略１８０°を超えないように規制し、第２の回動部２２と本体１の表面となす角度が略１８０°（図７参照）では、戸２’の移動を許容するようになっている。
【００１９】
従って、上述した網戸用ロックＬによれば、内側に位置する網戸１’の横枠（中桟）１１’に網戸用ロックＬをストッパー２が上、本体１が下に位置するように吸着部１０を介して取り付け、ストッパー２を内側に９０°倒した場合、図６に示すように、網戸１’の内側に位置した内側の戸２’を開けようとしても、第１の回動部２１、第２の回動部２２の内、内側の戸の端部に近い側の回動部２２が当接し、内側の戸２’の移動を阻止して、ストッパー機能を高めることができ、しかも、子供等が網戸用ロックＬを取り付けた網戸１’を外側に押し、内側の戸２’が第１の回動部２１、第２の回動部２２の内、内側の戸２’の端部に近い側の回動部２２を乗り越えても、内側の戸２’が第２の回動部２２と第１の回動部２１を接続する接続部２２に当接し、内側の戸２’の移動を阻止することができ、更に、子供等が網戸用ロックＬを取り付けた網戸１’を外側に押しても、内側の戸２’が第１の回動部２１、第２の回動部２２の内、内側の戸２’の端部に近い側の回動部２２を乗り越えないように、本体１の形状の大きさを変えることなく、第１の回動部２１、第２の回動部２２の長手方向の長さを長くすることにより対応することができる。
【００２０】
なお、図２に示すＲは、本体１の裏面側であって、本体１の幅方向の全体に亘って設けられた水平方向に延びる水平リブで、この水平リブの左隅部が第１の規制面Ｒ１を形成し、水平リブＲの右隅部が第２の規制面Ｒ２を形成している。
その結果、網戸用ロックＬを内側に位置する網戸１’の横枠、例えば、中桟１１’に取り付ける際、水平リブＲが網戸１’の中桟１１’の上面に当接して、位置決めでき、取付を容易且つ迅速に行うことができ、水平リブは第１の規制面、第２の規制面、本体に接続されているため、第１の規制面Ｒ１、第２の規制面Ｒ２、本体１の補強効果をも高めることができる。
【００２１】
上述した網戸用ロックＬは、網戸１’の横枠（中桟）に取り付けたが、網戸１’の横枠（中桟）に取り付けたが、網戸１’の下横枠（下桟）、網戸１’の上横枠（上桟）に取り付けても良い。
網戸用ロックＬを網戸１’の上横枠（上桟）１２’に取り付ける場合、図８に示すように、ストッパー２が下、本体１が上に位置するように吸着部１０を介して網戸１’の上横枠１２’に取り付ける（図示しないが、ストッパー２が下、本体１が上に位置するように吸着部１０を介して網戸１’の横枠（中桟）に取り付けるようにしても良い。）。
【００２２】
即ち、この場合の網戸用ロックＬは、裏面に吸着部１０（吸着部１０は、図２記載の吸着部１０と同様）を有した平坦形状の本体１と、この本体１に回動自在に取り付けられたストッパー２とを備えた網戸用ロックＬであって、網戸用ロックＬは、ストッパー２が下、本体１が上に位置するように吸着部１０を介して網戸１’の上横枠１２’［または、図示しないが、ストッパー２が下、本体１が上に位置するように吸着部１０を介して網戸１’の横枠（中桟）に取り付けるようにしても良い。］に取り付けられるものであり、ストッパー２は、第１の回動部２１と、第２の回動部２２と、この第２の回動部２２と第１の回動部２１を接続する接続部２３を有し、本体１の下左隅部に第２の回動部２２の回動を許容する第２のスペースＰ２’が、本体１の下右隅部に第１の回動部２１の回動を許容する第１のスペースＰ１’が、それぞれ設けられ、本体１の下左隅部に本体１の表面から裏面に向かう第２の規制面Ｒ２’を設け、この第２の規制面Ｒ２’と本体１とのなす角度は、略９０°であり、第２の規制面Ｒ２’は、第２の回動部２２が第２の規制面Ｒ２’に当接して、第２の回動部２２と本体１の表面となす角度が略９０°より小さくならないように規制し、第２の回動部２２と本体１の表面となす角度が略９０°から略１８０°の範囲では、第２の回動部２２の回動を許容し、第２の回動部２２が第２の規制面Ｒ２’に当接して、第２の回動部２２と本体１の表面となす角度が略１８０°を超えないように規制し、本体１の下右隅部に本体１の表面から裏面に向かう第１の規制面Ｒ１’を設け、この第１の規制面Ｒ１’と本体１とのなす角度は、略９０°であり、第１の規制面Ｒ１’は、第１の回動部２１が第１の規制面Ｒ１’に当接して、第１の回動部２１と本体１の表面となす角度が略９０°より小さくならないように規制し、第１の回動部２１と本体１の表面となす角度が略９０°から略１８０°の範囲では、第１の回動部２１の回動を許容し、第１の回動部２１が第１の規制面Ｒ１’に当接して、第１の回動部２１と本体１の表面となす角度が略１８０°を超えないように規制するものである。
図８記載の網戸用ロックＬによれば、内側に位置する網戸１’の上横枠１２’に網戸用ロックＬを取り付け、ストッパー２を内側に９０°倒した場合、網戸１’の内側に位置した内側の戸を開けようとしても、第１の回動部２１、第２の回動部２２の内、内側の戸の端部に近い側の回動部が当接し、内側の戸の移動を阻止して、ストッパー機能を高めることができ、しかも、子供等が網戸用ロックＬを取り付けた網戸１’を外側に押し、内側の戸が第１の回動部２１、第２の回動部２２の内、内側の戸の端部に近い側の回動部を乗り越えても、内側の戸が第２の回動部２２と第１の回動部２１を接続する接続部２３に当接し、内側の戸の移動を阻止することができ、更に、子供等が網戸用ロックＬを取り付けた網戸１’を外側に押しても、内側の戸が第１の回動部２１、第２の回動部２２の内、内側の戸の端部に近い側の回動部を乗り越えないように、本体１の形状の大きさを変えることなく、第１の回動部２１、第２の回動部２２の長手方向の長さを長くすることにより対応することができ、特に、子供等が触れないように、網戸用ロックＬを網戸１’の上横枠１２’に使用した際、本体１が上、ストッパ２が下に位置するため、背の低い大人にとっても操作が容易である。
【００２３】
また、図９に示すＲは、本体１の裏面側であって、本体１の幅方向の全体に亘って設けられた水平方向に延びる水平リブである。室内側から見て、水平リブＲの左隅部が第２の規制面Ｒ２’を形成し、水平リブＲの右隅部が第１の規制面Ｒ１’を形成している。
その結果、網戸用ロックＬを内側に位置する網戸１’の横枠、例えば、上横枠１２’（中桟１２’でも良い。）に取り付ける際、水平リブＲが網戸１’の横枠、例えば、上横枠１２’（中桟１２’でも良い。）の下面に当接して、位置決めでき、取付を容易且つ迅速に行うことができ、水平リブＲは第１の規制面Ｒ１’、第２の規制面Ｒ２’、本体１に接続されているため、第１の規制面Ｒ１’、第２の規制面Ｒ２’、本体１の補強効果をも高めることができる。
【符号の説明】
【００２４】
Ｌ      網戸用ロック
１      本体
２      ストッパー
２１    第１の回動部
２２    第２の回動部
２３    接続部
Ｒ      水平リブ
Ｒ１    第１の規制面
Ｒ２    第２の規制面
【図１】
0003207434.tif 000003
【図２】
0003207434.tif 000004
【図３】
0003207434.tif 000005
【図４】
0003207434.tif 000006
【図５】
0003207434.tif 000007
【図６】
0003207434.tif 000008
【図７】
0003207434.tif 000009
【図８】
0003207434.tif 000010
【図９】
0003207434.tif 000011
【図１０】
0003207434.tif 000012
【図１１】
0003207434.tif 000013